(57)【特許請求の範囲】
【請求項１】
ユーザ操作に応じて指定の地点までの距離を非接触で測定する非接触距離測定手段と、
前記非接触距離測定手段により測定された前記指定の地点までの距離に基づいて、目標とするケーブルの長さを設定するケーブル長さ設定手段と、
外部から引き込まれたケーブルを長さ方向に移動可能に保持するためのケーブル保持部と、
前記ケーブル保持部に保持されたケーブルを長さ方向に移動した際に、当該ケーブルの移動に応じた長さを測定するケーブル長さ測定手段と、
前記ケーブル長さ測定手段により測定されたケーブルの長さが、前記ケーブル長さ設定手段により設定された目標とするケーブルの長さに到達したことを報知する報知手段と、
前記ケーブル保持部に保持されたケーブルをユーザ操作に応じて切断するケーブル切断手段とを備え、
前記非接触距離測定手段、前記ケーブル長さ設定手段、前記ケーブル保持部、前記ケーブル長さ測定手段、前記報知手段、および前記ケーブル切断手段を、携帯型の本体に一体にして設けたことを特徴とする携帯型ケーブル測長・切断器。
【請求項２】
ユーザ操作に応じて任意の長さを入力するユーザ入力手段を備え、
前記ケーブル長さ設定手段は、前記非接触距離測定手段により測定された前記指定の地点までの距離と前記ユーザ入力手段により入力された任意の長さとに基づいて、目標とするケーブルの長さを設定する、
請求項１に記載の携帯型ケーブル測長・切断器。
【請求項３】
前記報知手段は、
表示部と、
前記ケーブル長さ設定手段により設定された目標とするケーブルの長さと前記ケーブル長さ測定手段により測定されたケーブルの長さとを前記表示部に表示させる表示制御手段とを有し、
前記測定されたケーブルの長さが前記設定された目標とするケーブルの長さに到達したことを表示して報知する、
請求項１または請求項２に記載の携帯型ケーブル測長・切断器。
【請求項４】
前記報知手段は、
音声出力部を有し、
前記ケーブル長さ測定手段により測定されたケーブルの長さが、前記ケーブル長さ設定手段により設定された目標とするケーブルの長さに到達したことを、前記音声出力部からのアラーム音により報知する、
請求項１ないし請求項３の何れか１項に記載の携帯型ケーブル測長・切断器。
【請求項５】
前記ケーブル切断手段は、
第１の操作子と、
ユーザが片手で、前記第１の操作子の操作と同時に操作不可能な場所に設けられた第２の操作子とを有し、
前記第１の操作子と前記第２の操作子との同時操作に応じて、前記ケーブル保持部に保持されたケーブルを切断する、
請求項１ないし請求項４の何れか１項に記載の携帯型ケーブル測長・切断器。
【請求項６】
前記ケーブル切断手段によるケーブルの切断を阻止する状態にする切断阻止機構と、
前記切断阻止機構によりケーブルの切断を阻止している状態を、前記第１の操作子の操作に応じて解除する阻止解除制御手段とを備えた、
請求項５に記載の携帯型ケーブル測長・切断器。
【請求項７】
前記ケーブル長さ測定手段により測定されたケーブルの長さが、前記ケーブル長さ設定手段により設定された目標とするケーブルの長さに到達したことに応じて、前記ケーブル保持部に保持されたケーブルの移動を阻止する状態にする移動阻止機構を備えた、
請求項１ないし請求項６の何れか１項に記載の携帯型ケーブル測長・切断器。
【請求項８】
前記ケーブル保持部は、
外部から引き込まれたケーブルを長さ方向に移動可能に挟持して保持する一対のケーブル挟持ローラと、
前記ケーブル挟持ローラの回転を検出するローラカウンタとを有し、
前記ケーブル長さ測定手段は、前記ローラカウンタにより検出されるケーブル挟持ローラの回転に基づいて、当該ケーブル挟持ローラに挟持されたケーブルを長さ方向に移動した際に、当該ケーブルの移動に応じた長さを測定する、
請求項１ないし請求項７の何れか１項に記載の携帯型ケーブル測長・切断器。
【請求項９】
前記非接触距離測定手段は、ユーザ操作に応じて、レーザ光を指定の地点に照射して当該指定の地点までの距離を測定するレーザ測長手段である、
請求項１ないし請求項８の何れか１項に記載の携帯型ケーブル測長・切断器。
【請求項１０】
前記ケーブル長さ設定手段は、目標とするケーブルの長さを記憶する記憶手段を有し、
前記報知手段は、前記ケーブル長さ測定手段により測定されたケーブルの長さが、前記記憶手段により記憶された目標とするケーブルの長さに到達したことを報知する、
請求項１ないし請求項９の何れか１項に記載の携帯型ケーブル測長・切断器。
【発明の詳細な説明】
【技術分野】
【０００１】
本発明の実施形態は、例えば、電気工事におけるケーブルの延線作業に利用するための携帯型ケーブル測長・切断器に関する。
【背景技術】
【０００２】
従来、電気工事において、電源ケーブル等のケーブルの延線作業は、例えば、以下のように行われている。
【０００３】
ケーブルは、ある一定の長さで、ケーブルドラムに巻回されて工事現場（以下「現場」と称呼する。）に納入され、当該現場において、ケーブルドラムからケーブルを必要な長さで引き出して切断し、切断したケーブルを延線する。
【０００４】
すなわち、現場に延線するケーブルの長さ（以下「ケーブル長」と称呼する。）や数量は、予め電気工事の設計段階で計画しているが、現場にて計画変更が生じたり、仮設対応のためケーブル接続分のケーブル長がさらに必要になったりするなど、変更になる場面が多々ある。このため、実際には、現場にてあらためて延線対象区間の長さの測定（以下「測長」と称呼する。）や、測長した延線対象区間の長さに対応したケーブルの測長、測長したケーブルの切断といった作業を行うことが多い。
【０００５】
従来、現場における延線対象区間の測長は、巻尺やレーザ測長器などを利用して行なわれる。また、延線対象区間の長さに対応したケーブルの測長は、巻尺あるいは大まかではあるが作業員がケーブルを手繰る平均的な長さを利用して行われる。さらに、測長したケーブルの切断は、ケーブル切断器などの工具を用いて行われる。
【先行技術文献】
【特許文献】
【０００６】
【特許文献１】特開２０１１−０５０１５４号公報
【特許文献２】特開２０００−０６９６３９号公報
【特許文献３】実開平０４−０２８９９２号公報
【発明の概要】
【発明が解決しようとする課題】
【０００７】
従来の現場では、（１）延線対象区間の測長、（２）ケーブルの測長、（３）ケーブルの切断、という複数の独立した作業を別々の道具を用いて行なう必要があるため、複数の道具の携行や当該道具の持ち替えなど、作業員にとって負担が多く、作業効率が低下する要因となっている。
【０００８】
本発明が解決しようとする課題は、複数の独立した作業を別々の道具を用いて行なう必要なく、作業員の負担を軽減し、その作業効率を向上させることが可能になる携帯型ケーブル測長・切断器を提供することにある。
【課題を解決するための手段】
【０００９】
実施形態の携帯型ケーブル測長・切断器は、
ユーザ操作に応じて指定の地点までの距離を非接触で測定する非接触距離測定手段と、
前記非接触距離測定手段により測定された前記指定の地点までの距離に基づいて、目標とするケーブルの長さを設定するケーブル長さ設定手段と、
外部から引き込まれたケーブルを長さ方向に移動可能に保持するためのケーブル保持部と、
前記ケーブル保持部に保持されたケーブルを長さ方向に移動した際に、当該ケーブルの移動に応じた長さを測定するケーブル長さ測定手段と、
前記ケーブル長さ測定手段により測定されたケーブルの長さが、前記ケーブル長さ設定手段により設定された目標とするケーブルの長さに到達したことを報知する報知手段と、
前記ケーブル保持部に保持されたケーブルをユーザ操作に応じて切断するケーブル切断手段とを備え、
前記非接触距離測定手段、前記ケーブル長さ設定手段、前記ケーブル保持部、前記ケーブル長さ測定手段、前記報知手段、および前記ケーブル切断手段を、携帯型の本体に一体にして設けたことを特徴とする。
【図面の簡単な説明】
【００１０】
【図１】実施形態の携帯型ケーブル測長・切断器１０の外観構成を示す正面図および右側面図。
【図２】前記携帯型ケーブル測長・切断器１０に内蔵されるケーブルカッタ１８の動作を示す図。
【図３】前記携帯型ケーブル測長・切断器１０の電子回路の構成を示すブロック図。
【図４】前記携帯型ケーブル測長・切断器１０によるケーブル測長・切断処理を示すフローチャート。
【発明を実施するための形態】
【００１１】
以下、実施形態の携帯型ケーブル測長・切断器について、図面を参照して説明する。
【００１２】
図１は、実施形態の携帯型ケーブル測長・切断器１０の外観構成を示す図であり、同図（Ａ）は正面図、同図（Ｂ）は右側面図である。
【００１３】
この携帯型ケーブル測長・切断器１０は、作業員等のユーザが一方の手で把持可能であって、もう一方の手で操作可能な大きさ、重量からなり、本体ケース１１の下端にハンドグリップ１２を一体にした形状で構成する。
【００１４】
本体ケース１３は、その上部を左右方向に連通しているケーブル通し孔１３（ケーブル保持部）を有し、当該ケーブル通し孔１３の右端部には、ケーブル測長部１４（ケーブル長さ測定手段）を設ける。
【００１５】
ケーブル測長部１４には、ケーブル通し孔１３に通したケーブルＣＡをその上下両側から挟持し、当該ケーブルＣＡの長さ方向の移動に応じて回転する一対のケーブル挟持ローラ１５ａ，１５ｂを設ける。本実施形態では、例えば、前記ケーブル通し孔１３に通すケーブルＣＡの入口を本体ケース１１の左側、同出口を本体ケース１１の右側とする。
【００１６】
ケーブル挟持ローラ１５ａ，１５ｂは、当該ローラ１５ａ，１５ｂの相互方向に挟持力を加えるためのサスペンション機構を有し、このサスペンション機構には、その挟持力に抗して当該ローラ１５ａ，１５ｂにケーブルＣＡを通した際に、ケーブルＣＡの挟み込みを検出するケーブルセンサ（図示せず）を設ける。
【００１７】
また、前記ケーブル挟持ローラ１５ａ，１５ｂの回転部に対しては、その回転を検出して電気信号を出力するローラカウンタ１６を設けると共に、当該ローラ１５ａ，１５ｂの回転を強制的に停止（ロック）させて前記ケーブルＣＡの移動を阻止するためのローラロック機構１７（移動阻止機構）を設ける。
【００１８】
また、前記本体ケース１１内の右端下部には、当該本体ケース１１の右側面、すなわち、前記ケーブル測長部１４のケーブル挟持ローラ１５ａ，１５ｂにて挟持されたケーブルＣＡの右側の出口側面に沿った位置を切断位置とするケーブルカッタ１８（ケーブル切断手段）を内蔵させて設ける。
【００１９】
図２は、前記携帯型ケーブル測長・切断器１０に内蔵されるケーブルカッタ１８の動作を示す図(右側面図)である。
【００２０】
本実施形態のケーブルカッタ１８は、例えば、相対する一対の円弧状の切断歯１８ａ，１８ｂを有し、図２（Ａ）〜図２（Ｅ）に示すように、当該切断歯１８ａ，１８ｂを、カッタモータ１９の駆動により、それぞれその円弧方向に展開させて一回りさせることで前記ケーブル測長部１４の出口側面において交差させケーブルＣＡを切断する。
【００２１】
図１及び図２において、前記ケーブルカッタ１８には、その切断歯１８ａ，１８ｂの展開動作を強制的に阻止（ロック）するためのカッタロック機構１９ａ（切断阻止機構）を設ける。
【００２２】
なお、前記ケーブルカッタ１８は、本体ケース１１に内蔵されているので、その切断歯１８ａ，１８ｂは、当該切断歯１８ａ，１８ｂの展開により前記ケーブル通し孔１３に対応する空間を通過するときにのみ外部に露出する。
【００２３】
また、前記ハンドグリップ１２の背面には、例えば、当該ハンドグリップ１２を握るユーザの手の人差し指が当たる位置に対応して指掛け凹部Ｆを設け、この指掛け凹部Ｆには、前記ローラロック機構１７をロック動作させると共に、前記カッタロック機構１９ａのロック動作を解除するためのセーフティトリガ２０（第１の操作子）を設ける。
【００２４】
さらに、前記本体ケース１１の上端部には、レーザ光を送受光することで、当該ケース上端部からレーザ光照射地点までの距離を測定（以下「レーザ測長」と称呼する。）するためのレーザ送受光部２１（レーザ測長手段）を設ける。
【００２５】
また、前記本体ケース１１の正面には、例えば、スピーカを備えた報知部２２（音声出力部）、複数のキーやボタン２３ａ〜２３ｃを備えた操作入力部２３（ユーザ入力手段）、液晶表示パネルからなる表示部２４を設ける。
【００２６】
操作入力部２３において、例えば、キー２３ａは、表示部２４に表示される項目の選択、数値の増減、決定などに使用し、また、ボタン２３ｂは、本携帯型ケーブル測長・切断器１０の動作モード（レーザ測長モード、ケーブル測長モードなど）の指定などに使用し、また、ボタン２３ｃは、前記ケーブルカッタ１８によるケーブルＣＡの切断開始を指示するカットボタン（第２の操作子）などとして使用する。
【００２７】
なお、前記ケーブルカッタ１８は、通常時、前記カッタロック機構１９ａにより、その展開が阻止（ロック）される。また、前記ハンドグリップ１２の指掛け凹部Ｆに設けたセーフティトリガ２０と、前記操作入力部２３に設けたカットボタン２３ｃとは、ユーザが片方の手で同時に操作することができない場所（距離や位置）に設計される。
【００２８】
そして、本携帯型ケーブル測長・切断器１０では、ユーザがハンドグリップ１２を握った一方の手で指掛け凹部Ｆのセーフティトリガ２０を押下（ＯＮ）することで、前記カッタロック機構１９ａによる阻止（ロック）が解除され、加えて、もう一方の手で、前記操作入力部２３のカットボタン２３ｃを押下（ＯＮ）することで、前記カッタモータ１９が駆動されてケーブルカッタ１８が展開される。
【００２９】
これにより、ケーブルＣＡを切断する際に、ユーザの指などが前記ケーブルカッタ１８の切断経路に入ってしまうのを確実に防止する。
【００３０】
本携帯型ケーブル測長・切断器１０は、例えば、前記ハンドグリップ１２に内蔵されるか外付けされる充電式バッテリなどの電源部２５により駆動される。
【００３１】
図３は、前記携帯型ケーブル測長・切断器１０の電子回路の構成を示すブロック図である。
【００３２】
この携帯型ケーブル測長・切断器１０の電子回路は、コンピュータとしての制御部（ＣＰＵ）３０を備える。
【００３３】
制御部３０は、記憶部３１（記憶手段）に予め記憶されたケーブル測長・切断処理プログラム３１ａに従い当該電子回路の各部の動作を制御し、ケーブル延線対象区間の測長処理、必要なケーブル長（目標とするケーブル長）の設定処理、ケーブル測長処理、ケーブル切断処理、からなる一連の処理を実行する。
【００３４】
制御部３０には、その制御およびデータバスを介して、前記記憶部３１を接続するほか、ケーブル切断部３２を介して前記カッタモータ１９を接続し、レーザ測長部３３を介して前記レーザ送受光部２１を接続する。
【００３５】
制御部３０には、また、前記ローラロック機構１７、カッタロック機構１９ａ、セーフティトリガ２０、報知部２２、操作入力部２３、および表示部２４を接続する。
【００３６】
前記レーザ測長部３３は、制御部３０からの指示に応じて、前記レーザ送受光部２１を駆動してレーザ光照射地点までの距離を測定し、レーザ測長値３１ｂを取得する。
【００３７】
前記ケーブル測長部１４は、前記ローラカウンタ１６から出力されるケーブル挟持ローラ１５ａ，１５ｂの回転検出信号に応じて、当該ケーブル挟持ローラ１５ａ，１５ｂに挟持されて移動するケーブルＣＡのケーブル長を測定し、ケーブル測長値３１ｅを取得する。
【００３８】
前記ケーブル切断部３２は、制御部３０からの指示に応じて、前記カッタモータ１９を駆動してケーブルカッタ１８を展開し、ケーブルＣＡを切断する。
【００３９】
前記記憶部３１は、ケーブル測長・切断処理プログラム３１ａを予め記憶するほか、前記レーザ測長部３３により取得されるレーザ測長値３１ｂ、前記操作入力部２３のユーザ操作に応じて入力されたケーブル長入力値３１ｃ、前記レーザ測長値３１ｂまたは前記ケーブル長入力値３１ｃまたはその組み合わせに基づき設定されるケーブル長設定値３１ｄ、前記ケーブル測長部１４により取得されるケーブル測長値３１ｅなどを記憶する。
【００４０】
このように構成された携帯型ケーブル測長・切断器１０は、前記制御部３０が前記ケーブル測長・切断処理プログラム３１ａに記述された命令に従い各部の動作を制御し、ソフトウエアとハードウエアとが協働して動作することにより、以下の動作説明で述べるような、各種の機能を含むケーブル測長・切断処理を実現する。
【００４１】
次に、前記構成の携帯型ケーブル測長・切断器１０の動作について説明する。
【００４２】
図４は、前記携帯型ケーブル測長・切断器１０によるケーブル測長・切断処理を示すフローチャートである。
【００４３】
前記携帯型ケーブル測長・切断器１０の電源ＯＮに応じて、制御部３０によりケーブル測長・切断処理プログラム３１ａが起動されると、制御部３０により表示部２４に表示された、必要なケーブル長を予め設定するか否かの項目について、操作入力部２３をユーザが操作して選択する。
【００４４】
ここで、例えば、ケーブル長を予め設定する場合とは、前記ケーブル通し孔１３に通して引き出したケーブルＣＡを、レーザ測長部３３で測長したレーザ測長値３１ｂや操作入力部２３から入力したケーブル長入力値３１ｃに応じたケーブル長で切断する場合を想定しており、ケーブル長を予め設定しない場合とは、同ケーブル通し孔１３に通して引き出したケーブルＣＡを、適宜のケーブル長で切断する場合を想定している。
【００４５】
必要なケーブル長を予め設定する項目が選択されると（ステップＳ１（Ｙｅｓ））、制御部３０は、当該必要なケーブル長をレーザ光により測長して得るか否か（操作入力部２３により数値入力するか）を選択する項目を表示部２４に表示させる（ステップＳ２）。
【００４６】
ここで、操作入力部２３のユーザ操作に応じて、必要なケーブル長をレーザ光により測長して得る項目が選択されると（ステップＳ２（Ｙｅｓ））、制御部３０は、レーザ測長部３３を介してレーザ送受光部２１を駆動し、当該レーザ送受光部２１からレーザ光を照射した地点までの距離であるレーザ測長値３１ｂを取得して記憶部３１に記憶させ、このレーザ測長値３１ｂをケーブル長設定値３１ｄとして記憶させると共に、表示部２４に表示させる（ステップＳ３）（ケーブル長さ設定手段）（表示制御手段）。
【００４７】
一方、操作入力部２３のユーザ操作に応じて、必要なケーブル長を数値入力する項目が選択されると（ステップＳ２（Ｎｏ））、制御部３０は、ユーザ操作に応じて操作入力部２３から入力されたケーブル長入力値３１ｂを記憶部３１に記憶させ、このケーブル長入力値３１ｂをケーブル長設定値３１ｄとして記憶させる（ステップＳ４）（ケーブル長さ設定手段）。
【００４８】
なお、前記ステップＳ１において、必要なケーブル長を予め設定する項目が選択されない場合（ステップＳ１（Ｎｏ））、前記ステップＳ２〜Ｓ４によるケーブル長設定値３１ｄの記憶処理（ケーブル長さ設定手段）は行われない。
【００４９】
この後、ユーザが、例えば、図示しないケーブルドラムから引き出したケーブルＣＡの先端を、本携帯型ケーブル測長・切断器１０の左側面からケーブル通し孔１３に通した際に、当該ケーブルＣＡがケーブル測長部１４における一対のケーブル挟持ローラ１５ａ，１５ｂに挟み込まれると、当該ケーブル挟持ローラ１５ａ，１５ｂのサスペンション機構に設けたケーブルセンサにより、ケーブルＣＡの挟み込みが検出される（ステップＳ５（Ｙｅｓ））。
【００５０】
すると、制御部３０は、前記ケーブル測長部１４を介して、本携帯型ケーブル測長・切断器１０の右側面から引き出されて行くケーブルＣＡの測長値を取得し、表示部２４に表示させる（表示制御手段）と共に、前記記憶部３１にケーブル測長値３１ｅとして記憶させる（ステップＳ６）。
【００５１】
なお、本携帯型ケーブル測長・切断器１０は、当該携帯型ケーブル測長・切断器１０をユーザのベルト等に取り付けるためのアタッチメントを有し、ユーザは、前記ケーブル通し孔１３に通したケーブルＣＡを、両手を使用して送り込み及び引き出すことができる。
【００５２】
ここで、制御部３０は、前記記憶部３１にケーブル長設定値３１ｄが記憶されているか否かを判断し、当該ケーブル長設定値３１ｄが記憶されていると判断されると（ステップＳ７（Ｙｅｓ））、前記ステップＳ６にて記憶部３１に記憶されているケーブル測長値３１ｅが、同記憶部３１に記憶されているケーブル長設定値３１ｄと同じ値に到達したか否かを判断する（ステップＳ８）。
【００５３】
前記ケーブル測長値３１ｅが、前記ケーブル長設定値３１ｄと同じ値に到達したと判断されると（ステップＳ８（Ｙｅｓ））、制御部３０は、報知部２２によりアラーム音を出力させ、ユーザに対して、必要な長さのケーブルＣＡが前記ケーブル測長部１４を通し引き出されたことを報知する（ステップＳ９）（報知手段）。
【００５４】
ここで、前記ケーブル測長部１４を通し引き出されたケーブルＣＡを切断するため、ユーザにより、第一に、一方の手で握ったハンドグリップ１２のセーフティトリガ２０が押下（ＯＮ）されると（ステップＳ１０）Ｙｅｓ））、制御部３０は、ローラロック機構１７によりケーブル挟持ローラ１５ａ，１５ｂをロック動作させ、ケーブルＣＡの移動を強制的に阻止し（ステップＳ１１）、また、カッタロック機構１９ａによるケーブルカッタ１８のロック動作を解除し、切断歯１８ａ，１８ｂを展開可能な状態に設定する（ステップＳ１２）（阻止解除制御手段）。
【００５５】
また、ユーザにより、第二に、もう片方の手で、操作入力部２３のカットボタン２３ｃが押下（ＯＮ）されると（ステップＳ１３（Ｙｅｓ））、制御部３０は、ケーブル切断部３２を介してカッタモータ１９を駆動し、前記ケーブルカッタ１８の切断歯１８ａ，１８ｂを展開させ、当該切断歯１８ａ，１８ｂにより前記ケーブルＣＡを前記ケーブル長設定値３１ｄに対応した必要な長さで切断させる（ステップＳ１４）。
【００５６】
この際、前記ケーブルＣＡを、前記ケーブル測長部１４を介して順次引き出しているときには、その引き出した距離に応じたケーブル測長値３１ｅが、前記ケーブル長設定値３１ｄと共に、前記表示部２３に常に表示されるので、ユーザは、引き出し中のケーブルＣＡの引き出された長さ（ケーブル測長値３１ｅ）と必要な長さ（ケーブル長設定値３１ｄ）とを数値で見て確認しながら、容易に当該ケーブルＣＡの引き出し作業を行なうことができる。
【００５７】
一方、前記ステップＳ１において、ケーブル長を予め設定していない場合に（ステップＳ１（Ｎｏ））、前記ステップＳ７において、前記記憶部３１にケーブル長設定値３１ｄが記憶されてないと判断されると（ステップＳ７（Ｎｏ））、制御部３０は、ケーブルＣＡの引き出し距離に応じた測長処理およびそのケーブル測長値３１ｅの表示処理を繰り返し実行し、前記セーフティトリガ２０の押下（ＯＮ）を判断する待機状態になる（ステップＳ１０（Ｎｏ）→Ｓ６，Ｓ７（Ｎｏ）→Ｓ１０）。
【００５８】
そして、ユーザにより、前記セーフティトリガ２０が押下（ＯＮ）され、カットボタン２３ｃが押下（ＯＮ）されると、前記同様に、ケーブル挟持ローラ１５ａ，１５ｂのローラロック機構１７がロック動作してケーブルＣＡの移動が阻止される共に、ケーブルカッタ１８のカッタロック機構１９ａによるロック動作が解除され、カッタモータ１９が駆動されることで、前記表示部２４にて確認したユーザ適宜のケーブル測長値でケーブルＣＡを切断できる（ステップ１０（Ｙｅｓ）〜Ｓ１４）。
【００５９】
したがって、前記構成の携帯型ケーブル測長・切断器１０によれば、ユーザ操作に応じて、レーザ測長部３３およびレーザ送受光部２１により指定の地点までの距離を非接触で測定すると、測定されたレーザ測長値３１ｂがケーブル長設定値３１ｄとして記憶部３１に記憶される。そして、ケーブル通し孔１３およびケーブル測長部１４に通したケーブルＣＡを引き出して移動させると、当該ケーブル測長部１４を介して測長されたケーブル測長値３１ｅが、前記記憶部３１に記憶されたケーブル長設定値３１ｄに到達したか否か判断される。
【００６０】
ここで、ユーザは、前記ケーブル測長値３１ｅが前記ケーブル長設定値３１ｄに到達したか否かを、当該ケーブル測長値３１ｅおよびケーブル長設定値３１ｄの表示部２３による数値表示を見て知ることができる。また、ローラロック機構１７によるケーブル挟持ローラ１５ａ，１５ｂのロック（停止）により体感的に知ることもできる。さらに、報音部２２からのアラーム音の出力によっても知ることできる。
【００６１】
そして、片方の手でセーフティトリガ２０を押下（ＯＮ）すると共に、もう片方の手でカットボタン２３ｃを押下（ＯＮ）すると、ケーブルカッタ１８が展開されてケーブルＣＡが切断され、前記ケーブル長設定値３１ｄに対応した長さのケーブルＣＡを簡単に得ることができる。
【００６２】
これにより、複数の独立した作業を別々の道具を用いて行なう必要なく、作業員の負担を軽減し、その作業効率を大幅に向上させることが可能になる。
【００６３】
なお、前記図４を参照して説明したケーブル測長・切断処理の実施形態では、レーザ測長部３３を介して取得されるレーザ測長値３１ｂ、または操作入力部２３からユーザ操作に応じて入力されたケーブル長入力値３１ｃの何れかを、必要な長さのケーブルＣＡを得るためのケーブル長設定値３１ｄとする構成について説明した。
【００６４】
この実施形態に限らず、例えば、レーザ測長部３３により測長されたレーザ測長値３１ｂに、ケーブル接続分の余裕を見るために操作入力部２３から入力したケーブル長入力値３１ｃを加算し、その加算結果（レーザ測長値３１ｂ＋ケーブル長入力値３１ｃ）をケーブル長設定値３１ｄとすることで、現場の必要に応じて更に寸法精度の高い適切なケーブル長のケーブルＣＡを得る構成としてもよい。
【００６５】
また、前記実施形態では、セーフティトリガ２０が押下（ＯＮ）された際に、ローラロック機構１７をロック動作させ、ケーブル挟持ローラ１５ａ，１５ｂの回転を強制的に阻止し、ケーブルＣＡの更なる移動を阻止する構成としたが、ケーブル測長値３１ｅがケーブル長設定値３１ｄに到達した際に、前記ローラロック機構１７をロック動作させることで、必要な長さのケーブルＣＡがケーブル測長部１４から引き出された時点で、自動的に当該ケーブルＣＡの更なる移動を阻止する構成としてもよい。この場合、ケーブルＣＡの移動が阻止されることで、当該ケーブルＣＡを引き出しているユーザに対して、必要な長さのケーブルＣＡがケーブル測長部１４から引き出されたことを体感として報知できるので、前記報知部２２からアラーム音を出力しなくてもよい。
【００６６】
また、前記実施形態において、レーザ測長部３３およびレーザ送受光部２１からなる非接触距離測定手段は、超音波や超高周波などを利用した非接触距離測定手段であってもよい。
【００６７】
また、前記実施形態において、前記ケーブル通し孔１３であるケーブル保持部は、本体ケース１１にケーブルＣＡを係止させて、その長さ方向に移動可能に保持する構造のものであればよい。
【００６８】
さらに、前記ケーブル測長部１４において、引き出したケーブルＣＡのケーブル測長値３１ｅが、ケーブル長設定値３１ｄに到達した場合、ケーブル挟持ローラ１５ａ，１５ｂの回転を停止させることで当該ケーブルＣＡの更なる移動を阻止する構成としたが、例えば、ケーブル通し孔１３の空間内において、ケーブルＣＡを挟み込むと共に、当該ケーブルＣＡが引き出される方向と逆方向にくさび型を形成する逆戻り阻止機構を設けることで、前記同様、ケーブルＣＡのケーブル測長値３１ｅがケーブル長設定値３１ｄに到達した場合に、当該ケーブルＣＡの更なる移動を阻止する構成としてもよい。
【００６９】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【００７０】
１０…携帯型ケーブル測長・切断器、１１…本体ケース、１２…ハンドグリップ、
ＣＡ…ケーブル、１３…ケーブル通し孔、１４…ケーブル測長部、
１５ａ，１５ｂ…ケーブル挟持ローラ、１６…ローラカウンタ、
１７…ローラロック機構、１８…ケーブルカッタ、１８ａ，１８ｂ…切断歯、
１９…カッタモータ、１９ａ…カッタロック機構、Ｆ…指掛け凹部、
２０…セーフティトリガ、２１…レーザ送受光部、２２…報知部、２３…操作入力部、
２４…表示部、２５…電源部、３０…制御部（ＣＰＵ）、３１…記憶部、
３１ａ…ケーブル測長・切断処理プログラム、３１ｂ…レーザ測長値、
３１ｃ…ケーブル長入力値、３１ｄ…ケーブル長設定値、３１ｅ…ケーブル測長値、
３２…ケーブル切断部、３３…レーザ測長部。
【図１】
0006989408.tif 000002
【図２】
0006989408.tif 000003
【図３】
0006989408.tif 000004
【図４】
0006989408.tif 000005